【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
複数の電気接点を含み、ケーブルの接続のためのコネクタ要素のプラグを受け入れるレセプタクルを各々が含む１つ又はそれよりも多くの適応可能ポートを含む１つ又はそれよりも多くのポートと、
前記１つ又はそれよりも多くの適応可能ポートで１つ又はそれよりも多くの接続されたマルチメディアデータソースから受信したマルチメディアデータを含むデータを処理する適応可能ポートデバイスであって、
前記１つ又はそれよりも多くの適応可能ポートに接続された各々のマルチメディアデータソースのマルチメディア信号フォーマットを検出し、かつ
現在接続されている前記適応可能ポートの各々を、前記接続されたマルチメディアデータソースの前記検出されたマルチメディア信号フォーマットに適合するように適応させる、
ように作動可能である前記適応可能ポートデバイスと、
前記１つ又はそれよりも多くの適応可能ポートの各々のための信号フォーマット検出器およびスイッチであって、
適応可能ポートのための該信号フォーマット検出器は、該適応可能ポートで受信したデータに対するマルチメディア信号フォーマットを検出し、
該スイッチは、該検出されたマルチメディア信号フォーマットの種に基づいて該データを複数の要素の１つに誘導する、
前記信号フォーマット検出器および前記スイッチと、を含み、
前記複数の要素は、第１のマルチプレクサと第２のマルチプレクサとを含み、前記１つ又はそれよりも多くの適応可能ポートの各々のスイッチは、前記適応可能ポートからのマルチメディアデータが第１種のものである場合に前記データを前記第１のマルチプレクサに誘導し、前記適応可能ポートからのマルチメディアデータが第２種のものである場合に前記データを前記第２のマルチプレクサに誘導し、
前記第１のマルチプレクサは、アナログマルチメディア信号フォーマットを有する前記第１種のマルチメディアデータを多重化するためのアナログマルチプレクサであり、前記第２のマルチプレクサは、デジタルマルチメディア信号フォーマットを有する前記第２種のマルチメディアデータを多重化するためのデジタルマルチプレクサであることを特徴とする装置。
【請求項２】
前記１つ又はそれよりも多くの適応可能ポートの各々が、同じレセプタクルタイプを有することを特徴とする請求項１に記載の装置。
【請求項３】
前記レセプタクルタイプは、マルチメディアデータの受信と送信のための標準レセプタクルであることを特徴とする請求項２に記載の装置。
【請求項４】
前記レセプタクルタイプは、高精細マルチメディアインタフェース（Ｒ）に適合するレセプタクルであることを特徴とする請求項３に記載の装置。
【請求項５】
前記適応可能ポートデバイスは、前記１つ又はそれよりも多くの適応可能ポートの各々で受信したマルチメディアデータを供給する、接続されたマルチメディアデータソースのマルチメディア信号フォーマットを以下の検出処理、すなわち、
コネクタのキーイングの検出と、
マルチメディアデータ信号フォーマットの間接電気的検出と、
前記コネクタの１つ又はそれよりも多くの接点の事前係合と、
のうちの１つ又はそれよりも多くを用いて検出するためのものであることを特徴とする請求項１に記載の装置。
【請求項６】
前記１つ又はそれよりも多くのポートは、１つ又はそれよりも多くの非適応可能ポートを更に含み、
前記適応可能ポートデバイスは、前記１つ又はそれよりも多くの非適応可能ポートを適応させないことを特徴とする請求項１に記載の装置。
【請求項７】
前記１つ又はそれよりも多くのポートは、マルチメディアデータの出力を供給する１つ又はそれよりも多くのポートを更に含むことを特徴とする請求項１に記載の装置。
【請求項８】
マルチメディアデータの出力を供給する前記１つ又はそれよりも多くのポートは、双方向ポートであり、該双方向ポートは、マルチメディアデータの入力と出力の両方を可能にすることを特徴とする請求項７に記載の装置。
【請求項９】
前記適応可能ポートデバイスから受信したマルチメディアデータを処理するマルチメディアプロセッサを更に含むことを特徴とする請求項１に記載の装置。
【請求項１０】
１つ又はそれよりも多くの適応可能ポートを含む１つ又はそれよりも多くのポートを有するデバイスのためのレセプタクル内のケーブルの接続のためのコネクタ要素を通じて第１の適応可能ポートでマルチメディアデータを含むデータを受信する処理と、
前記第１の適応可能ポートに接続された第１のマルチメディアデータソースのマルチメディア信号フォーマットを検出する処理と、
前記検出されたマルチメディア信号フォーマットの種に基づいて、受信したデータを複数の要素のうちの１つに誘導するように前記第１の適応可能ポートを切り替えることを含む、前記第１のマルチメディアデータソースの前記検出されたマルチメディア信号フォーマットに従って前記第１の適応可能ポートを適応させる処理と、
が実行される方法であって、
前記複数の要素は、第１のマルチプレクサと第２のマルチプレクサとを含み、前記第１の適応可能ポートを適応させる処理は、前記マルチメディアデータが第１種のものである場合に前記受信したデータを第１のマルチプレクサに誘導し、かつ該マルチメディアデータが第２種のものである場合に該受信したデータを第２のマルチプレクサに誘導し、
前記第１のマルチプレクサは、アナログマルチメディア信号フォーマットを有する前記第１種のマルチメディアデータを多重化するためのアナログマルチプレクサであり、前記第２のマルチプレクサは、デジタルマルチメディア信号フォーマットを有する前記第２種のマルチメディアデータを多重化するためのデジタルマルチプレクサである、
ことを特徴とする方法。
【請求項１１】
前記第１の適応可能ポートで受信した前記マルチメディアデータの前記マルチメディア信号フォーマットを検出する処理は、
前記コネクタ要素のキーイングの検出、
前記マルチメディア信号フォーマットの間接電気的検出と、
前記コネクタ要素の１つ又はそれよりも多くの接点の事前係合と、
のうちの１つ又はそれよりも多くを含むことを特徴とする請求項１０に記載の方法。
【請求項１２】
前記デバイスの前記１つ又はそれよりも多くのポートは、１つ又はそれよりも多くの非適応可能ポートを更に含み、
接続されたマルチメディアデータソースの前記マルチメディア信号フォーマットを検出することなく、かつ前記適応可能ポートを前記接続されたマルチメディアデータソースの該マルチメディア信号フォーマットに適応させることなく非適応可能ポートにおいてマルチメディアデータを処理する処理を更に含むことを特徴とする請求項１０に記載の方法。
【請求項１３】
適応可能ポートデバイスであって、
複数の電気接点を含み、ケーブルの接続のためのコネクタ要素のプラグを受け入れるレセプタクルを各々が含む１つ又はそれよりも多くの適応可能ポートを含む１つ又はそれよりも多くのポートと、
前記１つ又はそれよりも多くの適応可能ポートで１つ又はそれよりも多くの接続されたマルチメディアデータソースから受信したマルチメディアデータを含むデータを処理する前記１つ又はそれよりも多くの適応可能ポートの各々のための適応可能ポートデバイスであって、
各々の適応可能ポートのための前記適応可能ポートデバイスは信号フォーマット検出器及びスイッチを含み、
適応可能ポートのための前記信号フォーマット検出器は、前記適応可能ポートが接続されたマルチメディアデータソースのマルチメディア信号フォーマットを検出し、
前記スイッチは、前記接続されたマルチメディアデータソースの検出されたマルチメディア信号フォーマットの種に基づいて、複数のマルチプレクサのうちの１つに前記データを誘導する、
前記適応可能ポートデバイスと、
前記１つ又はそれよりも多くの適応可能ポートからアナログマルチメディア信号フォーマットを有する第１種のマルチメディアデータを受信するアナログマルチプレクサである第１のマルチプレクサと、
前記１つ又はそれよりも多くの適応可能ポートからデジタルマルチメディア信号フォーマットを有する第２種のマルチメディアデータを受信するデジタルマルチプレクサである第２のマルチプレクサ、とを含み、
デバイスが、
前記１つ又はそれよりも多くの適応可能ポートのうちの適応可能ポートに接続される各々のマルチメディアデータソースのマルチメディア信号フォーマットを検出し、かつ
現在接続されている各々の適応可能ポートを、前記接続されたマルチメディアデータソースの前記検出されたマルチメディア信号フォーマットに適合するように適応させる、
ように作動可能であることを特徴とするデバイス。
【請求項１４】
前記１つ又はそれよりも多くの適応可能ポートの各々が、同じレセプタクルタイプを有することを特徴とする請求項１３に記載のデバイス。
【請求項１５】
前記レセプタクルタイプは、マルチメディアデータの受信又は送信のための標準レセプタクルタイプであることを特徴とする請求項１４に記載のデバイス。
【請求項１６】
前記レセプタクルタイプは、高精細マルチメディアインタフェース（Ｒ）に適合するレセプタクルであることを特徴とする請求項１５に記載のデバイス。
【請求項１７】
前記１つ又はそれよりも多くの適応可能ポートの各々で受信したマルチメディアデータを供給する、接続されたマルチメディアデータソースのマルチメディア信号フォーマットを以下の検出処理、すなわち、
コネクタのキーイングの検出と、
マルチメディアデータ信号フォーマットの間接電気的検出と、
前記コネクタの１つ又はそれよりも多くの接点の事前係合と、
のうちの１つ又はそれよりも多くを用いて検出するためのものであることを特徴とする請求項１３に記載のデバイス。
【請求項１８】
前記１つ又はそれよりも多くのポートは、１つ又はそれよりも多くの非適応可能ポートを更に含み、
前記適応可能ポートデバイスが、前記１つ又はそれよりも多くの非適応可能ポートを適応させない、ことを特徴とする請求項１３に記載のデバイス。